(57)【要約】【課題】傾斜角度が大きい脚管に適用できるキャスターの取付構造を提供する。【解決手段】傾斜する脚管２の下端開口部３内に嵌挿される軸部４と、軸部４の下端面５から延設された、大径の鍔部６とを備えたキャスター受け具１を設けるとともに、鍔部６の軸部４側の端面９の下部から軸部４に向けて係合突部１０を延設し、係合突部１０と鍔部６の下部とでキャスター取付面１１を形成し、これと直交した取付孔１２を、その少なくとも一部が係合突部１０内に位置するように設け、軸部４を脚管２の下端開口部３内に嵌挿し、係合突部１０を脚管２の下端部下側に設けた上向切欠き１４内に嵌合して係止することにより、キャスター受け具１を、キャスター取付面１１を床面と平行にして脚管２に取り付け、かつ取付孔１２に、キャスター７の垂直支軸１３を嵌挿して取り付ける。【選択図】        図２
2004159744.tif 000002
【特許請求の範囲】
【請求項１】
床面に対して傾斜する脚管の下端開口部内に嵌挿される軸部と、この軸部の下端面から延設された、軸部より大径の鍔部とを備えるキャスター受け具における前記鍔部の軸部側の端面の下部から軸部に向けて係合突部を延設し、この係合突部と前記鍔部の下部とでキャスター取付面を形成し、このキャスター取付面と直交して、キャスター取付面より軸部内部へ至る取付孔を、この取付孔の少なくとも一部が前記係合突部内に位置するように設け、前記軸部を傾斜する脚管の下端開口部内に嵌挿し、前記係合突部を脚管の下端部下側に設けた上向切欠き内に嵌合して係止することにより、キャスター受け具を、前記キャスター取付面を床面とほぼ平行にして脚管に取り付け、かつ前記取付孔に、キャスターにおける垂直支軸を嵌挿して取り付けたことを特徴とするキャスターの取付構造。
【請求項２】
前記軸部を、周面に軸線方向の複数の溝部を、軸線回りに放射状に凹設することにより、軸部の周面に空間部が存在するような形状に形成したことを特徴とする請求項１記載のキャスターの取付構造。
【請求項３】
前記脚管に通孔を設け、この通孔を貫通させて、止めねじを軸部にねじ込んだことを特徴とする請求項１または２に記載のキャスターの取付構造。
【発明の詳細な説明】
【０００１】
【発明の属する技術分野】
本発明は、家具やショッピングカート等の脚管の下端に設けられ、家具等を安定よく回転させたり、移動させたりするようにしたキャスターの取付構造に関する。
【０００２】
【従来の技術】
キャスターの取付構造は、従来一般に、家具等の開口端内に、プラスチック等よりなるキャスター受け具を圧入し、このキャスター受け具に設けた取付孔に、キャスターにおける垂直支軸を挿入するか、または捩じ込むことにより、キャスターが取り付けられている（たとえば、実用新案文献１）。
しかし、前記の取付構造は、脚管が床面に対してほぼ垂直または平行なものに対してのみ適用されている。
【０００３】
その理由は、床面に対して傾斜している脚管に取り付けたキャスター受け具に、キャスターの垂直支軸を挿入すると、キャスターの垂直支軸は脚管と同方向に傾斜するため、キャスターの垂直支軸回りの回転が阻害されて、キャスターの方向転換ができなくなるからである。
【０００４】
しかし、脚管を床面に対して垂直または平行なものに限定した場合には、脚部のデザインの自由度が制限されることとなる。また、脚管を床面に対して垂直なものに限定した場合には、前後の脚管及びキャスターの間隔を広くすることができないため、家具等の安定性が悪くなる。
【０００５】
かかる問題に対処して、本願出願人は、床面に対して傾斜する脚管に適用し得るキャスターの取付構造を先に提案している（実用新案文献２）。
すなわち、図１０に示すように、水平な床面（０１）に対して傾斜する脚管（０２）の下端開口部（０３）内に嵌合されるキャスター受け具（０４）の下部に、上面（０５）を脚管（０２）の下端面（０６）に当接させたとき、下面（０７）が水平となるように、前記上面（０５）を傾斜させるとともに、上面（０５）の適所に係合突起（０８）を有し、かつ下面（０７）より下面（０７）と直交する取付孔（０９）を穿設してなる鍔部（０１０）を設け、前記キャスター受け具（０４）を傾斜する脚管（０２）の下端開口部（０３）内に嵌合して、前記係合突起（０８）を脚管（０２）の下端部（０１１）に設けた上向切欠き（０１２）内へ嵌合して係止することにより、キャスター受け具（０４）を、その下面（０７）を水平として前記脚管（０２）に取り付け、かつ前記取付孔（０９）に、キャスターにおける垂直支軸（０１３）を嵌挿して取り付けたことを特徴とするキャスターの取付構造である。
【０００６】
しかし、この考案は、脚管（０２）の傾斜角度が一定以上大きい場合には、取付孔（０９）の下端開口部（０１４）が、鍔部（０１０）の下面（０７）より、はみ出してしまい、適用することができない。
【０００７】
【実用新案文献１】
実公昭５５−３２５０９号公報
【実用新案文献２】
実公平８−５６３０号公報
【０００８】
【発明が解決しようとする課題】
本発明は、前記の現状に鑑み、床面に対する傾斜角度が大きい脚管を備える家具等を、安定よく、かつ円滑に移動できるように支持し得るとともに、家具等の脚部のデザインの自由度を高めることができるキャスターの取付構造を提供することを目的とする。
【０００９】
【課題を解決するための手段】
本発明によると、上記課題は、次のようにして解決される。
（１）  床面に対して傾斜する脚管の下端開口部内に嵌挿される軸部と、この軸部の下端面から延設された、軸部より大径の鍔部とを備えるキャスター受け具における前記鍔部の軸部側の端面の下部から軸部に向けて係合突部を延設し、この係合突部と前記鍔部の下部とでキャスター取付面を形成し、このキャスター取付面と直交して、キャスター取付面より軸部内部へ至る取付孔を、この取付孔の少なくとも一部が前記係合突部内に位置するように設け、前記軸部を傾斜する脚管の下端開口部内に嵌挿し、前記係合突部を脚管の下端部下側に設けた上向切欠き内に嵌合して係止することにより、キャスター受け具を、前記キャスター取付面を床面とほぼ平行にして脚管に取り付け、かつ前記取付孔に、キャスターにおける垂直支軸を嵌挿して取り付けたことを特徴とするキャスターの取付構造とする。
【００１０】
（２）  上記（１）項において、前記軸部を、周面に軸線方向の複数の溝部を、軸線回りに放射状に凹設することにより、軸部の周面に空間部が存在するような形状に形成する。
【００１１】
（３）  上記（１）項または（２）項において、前記脚管に通孔を設け、この通孔を貫通させて、止めねじを軸部にねじ込む。
【００１２】
【発明の実施の形態】
図１は、本発明のキャスター取付構造を備えるテーブルの斜視図、図２は、図１に示すテーブルのキャスター取付構造におけるキャスター受け具を拡大した正面図、図３は、同じくキャスター受け具の平面図、図４は、同じくキャスター受け具の右側面図、図５は、図３におけるＶ〜Ｖ線縦断面図、図６は、図２におけるＶＩ〜ＶＩ線縦断面図、図７は、図２におけるＶＩＩ〜ＶＩＩ矢視線図、図８は、キャスター受け具の上方斜視図、図９は、キャスター受け具と脚管の下方斜視図である。
【００１３】
本発明のキャスターの取付構造において用いられるキャスター受け具（１）は、床面に対して傾斜する脚管（２）の下端開口部（３）内に嵌挿される軸部（４）と、この軸部（４）の下端面（５）から延設された、前記軸部（４）より大径の鍔部（６）とにより形成されている。
【００１４】
図８、図９に示すように、軸部（４）は、周面に軸線方向の複数の溝部（４ａ）を、軸線回りに放射状に凹設した形状をなし、この軸部（４）を、脚管（２）の下端開口部（５）内に嵌挿して、キャスター受け具（１）を脚管（２）に取り付け、このキャスター受け具（１）の下端にキャスター（７）（図２参照）を取り付けて使用した場合に、ガタつきを生じない程度に、充分な長さに形成されている。
【００１５】
具体的には、軸部（４）は、軸線方向に所要の長さを有する５枚の長方形状の軸板片（８ａ）（８ｂ）（８ｃ）（８ｄ）（８ｅ）が、断面視において、左右に各１枚、上方に１枚、下方に平行に２枚を、各軸板片（８）の１つの長辺縁端を当接させて、ほぼ十字状、一般には放射状をなすように配設したと同視しうるような形状に形成されている。
【００１６】
この軸部（４）の下端面（５）には、軸部（４）よりも拡径された厚肉円板状の鍔部（６）が延設されている。
この鍔部（６）の軸部（４）側の端面（９）における下部からは、軸部（４）に向けて、楔状の係合突部（１０）が延設されている。
この係合突部（１０）と前記鍔部（６）の下部とを、床面と平行な１つの平面となし、この平面をもってキャスター取付面（１１）が形成されている。
【００１７】
キャスター取付面（１１）には、これと直交して、キャスター取付面（１１）より軸部（４）の内部へ至る取付孔（１２）が設けられている。
この取付孔（１２）は、図２、図３、図９に示すように、少なくともその一部が、前記係合突部（１０）内に位置するように設けられている。このようにすることによって、床面に対する傾斜角度が大きい脚管（２）の下端開口部（３）内に、本発明におけるキャスター受け具（１）の軸部（４）を嵌挿してキャスター受け具（１）を取り付けた場合においても、前記取付孔（１２）を床面に対して垂直に保持することができる。
【００１８】
そのため、この取付孔（１２）に、キャスター（７）における垂直支軸（１３）を嵌挿して取り付けることにより、前記垂直支軸（１３）は床面に対して垂直となり、キャスター（７）の前記垂直支軸（１３）回りの回転が、何ら阻害されることはなく、キャスターの方向転換を容易にできる。
【００１９】
キャスター受け具（１）を、脚管（２）に取り付ける際には、キャスター受け具（１）における前記係合突部（１０）を、脚管（２）の下端部下側に設けた上向切欠き（１４）内に嵌合して係止し、キャスター受け具（１）が回動しないように位置決めをすると同時に、前記キャスター取付面（１１）を、床面とほぼ平行にして脚管（２）に取り付ける。
【００２０】
次いで、図２、図５、図９に示すように、キャスター受け具（１）の軸部（４）における下側の２枚の軸板片（８ｃ）（８ｄ）間に形成された係止孔（１５）に、脚管（２）に設けられた通孔（１６）を貫通して、止めねじ（１７）をねじ込むことにより、キャスター受け具（１）を、脚管（２）から抜け落ちないように止着する。
【００２１】
【発明の効果】
本発明によると、次のような効果が奏せられる。
（１）  請求項１記載の発明によれば、床面に対する傾斜角度が大きい脚管の場合にも、キャスターの垂直支軸を床面に対して垂直に保持することができ、キャスターの前記垂直支軸回りの回転が何ら阻害されることがない。
そのため、傾斜角度が大きい脚管を備える家具等を安定よく、かつ円滑に移動できるように支持し得るとともに、家具等の脚部のデザインを、脚管の傾斜角度に制限を受けることなく自由に行うことができる。
【００２２】
（２）  請求項２記載の発明によれば、キャスター受け具における軸部の周面に、空間部が存在するため、軸部を脚管の下端開口部内に嵌挿する際の摩擦抵抗が小さく、そのため比較的長い軸部を形成することができる。
長い軸部とすることにより、脚管の傾斜角度が大きく、軸部に大きな負荷がかかる場合にも、キャスター受け具を脚管に安定的に保持し、ガタつき等を有効に防止することができる。
【００２３】
（３）  請求項３記載の発明によれば、キャスター受け具が、脚管から抜け落ちることを有効に防止することができる。
【図面の簡単な説明】
【図１】本発明のキャスター取付構造を備えるテーブルの斜視図である。
【図２】図１に示すテーブルのキャスター取付構造におけるキャスター受け具の拡大した正面図である。
【図３】同じく、キャスター受け具の平面図である。
【図４】同じく、キャスター受け具の右側面図である。
【図５】図３におけるＶ〜Ｖ線縦断面図である。
【図６】図２におけるＶＩ〜ＶＩ線縦断面図である。
【図７】図２におけるＶＩＩ〜ＶＩＩ矢視線図である。
【図８】キャスター受け具の上方斜視図である。
【図９】キャスター受け具と脚管の下方斜視図である。
【図１０】従来のキャスターの取付構造を示す図である。
【符号の説明】
（１）キャスター受け具
（２）脚管
（３）下端開口部
（４）軸部
（４ａ）溝部
（５）下端面
（６）鍔部
（７）キャスター
（８）軸板片
（９）端面
（１０）係合突部
（１１）キャスター取付面
（１２）取付孔
（１３）垂直支軸
（１４）上向切欠き
（１５）係止孔
（１６）通孔
（１７）止めねじ
（０１）床面
（０２）脚管
（０３）下端開口部
（０４）キャスター受け具
（０５）上面
（０６）下端面
（０７）下面
（０８）係合突起
（０９）取付孔
（０１０）鍔部
（０１１）下端部
（０１２）上向切欠き
（０１３）垂直支軸
（０１４）下端開口部
【図１】
2004159744.tif 000003
【図２】
2004159744.tif 000004
【図３】
2004159744.tif 000005
【図４】
2004159744.tif 000006
【図５】
2004159744.tif 000007
【図６】
2004159744.tif 000008
【図７】
2004159744.tif 000009
【図８】
2004159744.tif 000010
【図９】
2004159744.tif 000011
【図１０】
2004159744.tif 000012